(57)【要約】【課題】周期的な送信信号系列数品質表示信号の送信を行なうことができない場合に、その直後に行なわれる受信品質情報がどの送信信号系列数のものなのかを明確にし、基地局装置が適切な通信リソース割り当てを行なう。【解決手段】受信品質情報、送信信号前処理情報および送信信号系列数情報を含むフィードバック情報を生成するフィードバック情報生成部６５と、前記生成されたフィードバック情報を周期的に前記基地局装置に対して送信する無線送信部５１と、を備え、前記無線送信部５１は、前記基地局装置から送信信号系列数情報を送信するために周期的に割り当てられた通信リソースで送信信号系列数情報を送信しなかった場合、前記通信リソースの次に前記基地局装置から割り当てられたフィードバック情報を送信可能な通信リソースで送信信号系列数情報を前記基地局装置に対して送信する。【選択図】図２
2010114929.tif 000002
【特許請求の範囲】
【請求項１】
移動局装置が、送信信号系列数情報および該送信信号系列数情報に基づいて算出した送信信号前処理情報を周期的に基地局装置に送信する移動通信システムにおいて、
前記移動局装置は、前記送信信号系列数情報が前記基地局装置へ送信されなかった場合には、予め決められた送信信号系列数に基づいて送信信号前処理情報を算出することを特徴とする移動通信システム。
【請求項２】
前記予め決められた送信信号系列数は、最小の送信信号系列数であることを特徴とする請求項１に記載の移動通信システム。
【請求項３】
記予め決められた送信信号系列数は、最大の送信信号系列数であることを特徴とする請求項１記載の移動通信システム。
【請求項４】
移動局装置が送信信号系列数情報および該送信信号系列数情報に基づいて算出した送信信号前処理情報を、周期的に前記移動局装置から受信する基地局装置であって、
前記送信信号系列数情報が送信されなかった場合には、予め決められた送信信号系列数に基づいて前記送信信号前処理情報を処理する手段を備えることを特徴とする基地局装置。
【請求項５】
前記予め決められた送信信号系列数は、最小の送信信号系列数であることを特徴とする請求項４に記載の基地局装置。
【請求項６】
前記予め決められた送信信号系列数は、最大の送信信号系列数であることを特徴とする請求項４に記載の基地局装置。
【請求項７】
送信信号系列数情報および該送信信号系列数情報に基づいて算出した送信信号前処理情報を周期的に基地局装置に送信する移動局装置であって、
前記送信信号系列数情報を前記基地局装置へ送信しなかった場合には、予め決められた送信信号系列数に基づいて送信信号前処理情報を算出する手段を備えることを特徴とする移動局装置。
【請求項８】
前記予め決められた送信信号系列数は、最小の送信信号系列数であることを特徴とする請求項７に記載の移動局装置。
【請求項９】
前記予め決められた送信信号系列数は、最大の送信信号系列数であることを特徴とする請求項７に記載の移動局装置。
【請求項１０】
移動局装置が送信信号系列数情報および該送信信号系列数情報に基づいて算出した送信信号前処理情報を、周期的に基地局装置に送信する移動通信システムにおいて、
前記移動局装置は、前記送信信号系列数情報が前記基地局装置へ送信されなかった場合には、使用可能な最小の送信信号系列数に基づいて送信信号前処理情報を算出し、
前記基地局装置は、前記送信信号系列数情報が送信されなかった場合には、前記使用可能な最小の送信信号系列数に基づいて前記送信信号前処理情報を処理することを特徴とする移動通信システム。
【請求項１１】
移動局装置が送信信号系列数情報および該送信信号系列数情報に基づいて算出した送信信号前処理情報を、周期的に前記移動局装置から受信する基地局装置であって、
前記送信信号系列数情報が送信されなかった場合には、使用可能な最小の送信信号系列数に基づいて前記送信信号前処理情報を処理する手段を備えることを特徴とする基地局装置。
【請求項１２】
送信信号系列数情報および該送信信号系列数情報に基づいて算出した送信信号前処理情報を周期的に基地局装置に送信する移動局装置であって、
前記送信信号系列数情報を前記基地局装置へ送信しなかった場合には、使用可能な最小の送信信号系列数に基づいて送信信号前処理情報を算出する手段を備えることを特徴とする移動局装置。
【請求項１３】
移動局装置が送信信号系列数情報および該送信信号系列数情報に基づいて算出した送信信号前処理情報を、周期的に基地局装置に送信する移動通信システムにおいて、
前記移動局装置は、前記送信信号系列数情報が前記基地局装置へ送信されなかった場合には、使用可能な最大の送信信号系列数に基づいて送信信号前処理情報を算出し、
前記基地局装置は、前記送信信号系列数情報が送信されなかった場合には、前記使用可能な最大の送信信号系列数に基づいて前記送信信号前処理情報を処理することを特徴とする移動通信システム。
【請求項１４】
移動局装置が送信信号系列数情報および該送信信号系列数情報に基づいて算出した送信信号前処理情報を、周期的に前記移動局装置から受信する基地局装置であって、
前記送信信号系列数情報が送信されなかった場合には、使用可能な最大の送信信号系列数に基づいて前記送信信号前処理情報を処理する手段を備えることを特徴とする基地局装置。
【請求項１５】
送信信号系列数情報および該送信信号系列数情報に基づいて算出した送信信号前処理情報を周期的に基地局装置に送信する移動局装置であって、
前記送信信号系列数情報を前記基地局装置へ送信しなかった場合には、使用可能な最大の送信信号系列数に基づいて送信信号前処理情報を算出する手段を備えることを特徴とする移動局装置。
【請求項１６】
移動局装置が送信信号系列数情報および該送信信号系列数情報に基づいて算出した送信信号前処理情報を、周期的に前記移動局装置から受信する基地局装置の通信方法であって、
前記送信信号系列数情報が送信されなかった場合には、予め決められた送信信号系列数に基づいて前記送信信号前処理情報を処理することを特徴とする通信方法。
【請求項１７】
送信信号系列数情報および該送信信号系列数情報に基づいて算出した送信信号前処理情報を周期的に基地局装置に送信する移動局装置の通信方法であって、
前記送信信号系列数情報を前記基地局装置へ送信しなかった場合には、予め決められた送信信号系列数に基づいて送信信号前処理情報を算出することを特徴とする通信方法。
【請求項１８】
移動局装置が送信信号系列数情報および該送信信号系列数情報に基づいて算出した送信信号前処理情報を、周期的に前記移動局装置から受信する基地局装置の通信方法であって、
前記送信信号系列数情報が送信されなかった場合には、使用可能な最小の送信信号系列数に基づいて前記送信信号前処理情報を処理することを特徴とする通信方法。
【請求項１９】
送信信号系列数情報および該送信信号系列数情報に基づいて算出した送信信号前処理情報を周期的に基地局装置に送信する移動局装置の通信方法であって、
前記送信信号系列数情報を前記基地局装置へ送信しなかった場合には、使用可能な最小の送信信号系列数に基づいて送信信号前処理情報を算出することを特徴とする通信方法。
【請求項２０】
移動局装置が送信信号系列数情報および該送信信号系列数情報に基づいて算出した送信信号前処理情報を、周期的に前記移動局装置から受信する基地局装置の通信方法であって、
前記送信信号系列数情報が送信されなかった場合には、使用可能な最大の送信信号系列数に基づいて前記送信信号前処理情報を処理することを特徴とする通信方法。
【請求項２１】
送信信号系列数情報および該送信信号系列数情報に基づいて算出した送信信号前処理情報を周期的に基地局装置に送信する移動局装置の通信方法であって、
前記送信信号系列数情報を前記基地局装置へ送信しなかった場合には、使用可能な最大の送信信号系列数に基づいて送信信号前処理情報を算出することを特徴とする通信方法。
【発明の詳細な説明】
【技術分野】
【０００１】
本発明は、複数のアンテナの全部または一部を用いて移動局装置と基地局装置とが無線通信を行なう技術に関する。
【背景技術】
【０００２】
３ＧＰＰ（3rd Generation Partnership Project）は、Ｗ−ＣＤＭＡ（Wideband-Code Division Multiple Access）とＧＳＭ（Global System for Mobile Communications）を発展させたネットワークを基本した携帯電話システムの仕様を検討・作成するプロジェクトである。３ＧＰＰではＷ−ＣＤＭＡ方式が第３世代セルラー移動通信方式として標準化され、順次サービスが開始されている。また、通信速度を更に上げたＨＳＤＰＡ（High-Speed Downlink Packet Access）も標準化され、サービスが開始されている。３ＧＰＰでは、第３世代無線アクセス技術の進化（Evolved Universal Terrestrial Radio Access：以下、「Ｅ−ＵＴＲＡ」と呼称する。）が検討されている。
【０００３】
Ｅ−ＵＴＲＡにおける下りリンク通信方式として、互いに直交するサブキャリアを用いてユーザ多重化を行なうＯＦＤＭＡ（Orthogonal Frequency Division Multiple Access）方式が提案されている。また、ＯＦＤＭＡ方式において、チャネル符号化等の適応無線リンク制御に基づく適応変復調・誤り訂正符号化方式（ＡＭＣＳ：Adaptive Modulation and Coding Scheme）といった技術が適用されている。
【０００４】
ＡＭＣＳとは、高速パケットデータ伝送を効率的に行なうために、各移動局装置の伝搬路状況に応じて、誤り訂正の符号化率、データ変調多値数などの無線伝送パラメータを切り替える方式である。例えば、データ変調については、伝搬路状況が良好になるに従って、ＱＰＳＫ（Quadrature Phase Shift Keying）変調から、１６ＱＡＭ（Quadrature Amplitude Modulation）変調、６４ＱＡＭ変調など、より高い変調効率の多値変調方式に切り替えることで、移動通信システムの最大スループットを増大させることができる。
【０００５】
ＯＦＤＭＡにおいて、通信可能な領域を物理的にサブキャリアに対応する周波数領域と時間領域において分割することができる。この分割領域をいくつかにまとめたものはリソースブロックと呼ばれ、ひとつ、または、いくつかのリソースブロックを各移動局装置へ割り振り、複数の移動局装置を多重化した通信が行なわれる。
【０００６】
基地局装置と各移動局装置とが、その要求に応じた最適な品質・速度での通信を行なうためには、各移動局装置の各サブキャリアにおける受信品質を考慮したリソースブロック割り当ておよび伝送方式の決定が必要である。伝送方式やスケジューリングは基地局装置が行なうこと、また、周波数分割複信（ＦＤＤ：Frequency Division Duplex）においては、下りリンクの伝搬路の状況は該当する移動局装置のみ知ることができることから、この要求を実現するために、各移動局装置は基地局装置に対して受信品質（移動局装置が受信可能なＭＣＳ（変調・誤り訂正符号化方式）に相当するもの）のフィードバックを行なうことが必要となる。各移動局装置の受信品質は、チャネル品質指示子ＣＱＩ（Channel Quality Indicator）を使って基地局装置へフィードバックされる。
【０００７】
また、Ｅ−ＵＴＲＡにおいては通信路容量を増大するために、ＭＩＭＯ（Multiple Input Multiple Output）を利用したＳＭ（Space Multiplexing：空間多重）技術や、ＳＦＢＣ（Space-Frequency Block Code）といった送信ダイバーシティの利用が提案されている。ＭＩＭＯを利用すると、マルチパスの影響で空間として複数の伝搬路を形成し複数の情報を多重化して送信すること、複数の送信アンテナの電力を受信側で合成し、受信利得を得ることが可能となる。ここではこれらを総括してＭＩＭＯと呼ぶ。Ｅ−ＵＴＲＡでは、下りリンクにおいてＭＩＭＯによるＳＭおよび送信ダイバーシティの利用が想定されており、どの方式によって通信を行なうかは基地局装置および移動局装置間における伝搬路状況を考慮し決定される。
【０００８】
ＭＩＭＯ・ＳＭの利用時については、各アンテナから送信される複数の空間多重系列を分離処理しやすくするために、予め送信信号系列を基地局装置において前処理することが検討されている。この送信信号前処理の情報についても基地局装置では算出することができないため、各移動局装置はＭＩＭＯ・ＳＭ通信時に基地局装置に送信信号前処理情報をフィードバックしなければならない。
【０００９】
また、ＭＩＭＯ・ＳＭにおいて、空間多重される信号系列数の情報についても移動局装置と基地局装置間の伝搬路に依存するものであり、基地局装置から送信される参照信号をもとに移動局装置において算出される。つまり、上記のフィードバック情報と同様に各移動局装置から基地局装置へフィードバックしなければならない。
【００１０】
上述のように、ＭＩＭＯ・ＳＭ通信を実現するためには、各移動局装置から基地局装置通信路に対して、受信品質情報、送信信号前処理情報、送信信号の系列数情報の３つをフィードバックすることが必要となる。それぞれをフィードバックするために必要なビット数、フォーマット、送信頻度はそれぞれ異なっており、また、伝搬路の状況や移動局装置の状況などによってそれぞれの周期で変化する。
【００１１】
具体的には、最適な送信信号系列数は、送信信号前処理情報と比較して時間的変化が緩やかである。もし、最適な送信信号の系列数と送信信号前処理情報を必ず同時に送信するスケジュールを行ない、送信信号前処理情報の送信周期に合わせたフィードバックを行なうと、変化のない送信信号の系列数を何度もフィードバックすることになり、その結果、上りリンクのリソースについてオーバーヘッドが発生する。一方で、送信信号の系列数の送信周期に合わせたフィードバックを行なうと、基地局装置における送信信号前処理情報の情報が不足し、その結果、送信信号に対して適切でない前処理によってＭＩＭＯ通信を行なうことになり、システムとしてのスループットが低下してしまう。
【００１２】
また、受信品質情報および送信信号前処理情報は、送信信号系列数に応じてその情報量が異なってくる。具体的に、送信信号系列ごとに異なる変調方式を適用するのであれば、その数だけの受信品質情報が必要となる。また、送信信号前処理情報は送信信号系列数や送信アンテナ数に対応した行列で表わされる情報であり、送信信号系列数に応じてその所要ビット数が変化する。このような特徴から、上記フィードバック情報の中で送信信号系列数を先行して送信し、これに対応した受信品質情報および送信信号前処理情報を続けて送信することが有効である。
【００１３】
図１１は、従来の移動通信システムの基地局装置と移動局装置との間における処理の流れを示すタイミングチャートおよびシーケンスチャートである。図１１に示す例は、非特許文献１に記載された受信品質情報、送信信号前処理情報および送信信号系列数を周期的に送信するメカニズムを実施したものであり、周期的に割り当てられる上りリンク制御チャネル（ＰＵＣＣＨ：Physical Uplink Control Channel）において、各種フィードバック情報を送信する例でありサブフレーム１から１６におけるフィードバックが記載されている。
【００１４】
ここでは、簡単のために下りリンク信号および上りリンクのデータ信号については省略し、また移動局装置から基地局装置へ送信する肯定信号ＡＣＫ／否定信号ＮＡＣＫ（Positive Acknowledgement、Negative Acknowledgement）などのフィードバック情報も省略している。この例では、サブフレーム１より以前に上記の上りリンク制御チャネルのリソースが割り当てられていて、サブフレーム１を開始とし、３サブフレームごとにリソースが割り当てられている（７１０）。このリソースを用いて送信される受信品質情報、送信信号前処理情報および送信信号系列数について、その送信タイミングは７１１に示されている。
【００１５】
送信信号系列数は、このリソースのうち何回に一回送信されるかという情報が基地局装置から移動局装置へ通知され、この例においてはサブフレーム１を先頭に、割り当てられたリソースのうち４回に１回送信するよう設定される。つまり、サブフレーム１および１３にて送信信号系列数が周期的に送信され、その時の送信信号系列数はそれぞれ３、４とする（ステップＳ７０１，Ｓ７０５）。残りのリソース、つまりサブフレーム４、７、１０、１６では、受信品質情報および送信信号前処理情報が周期的に送信される（ステップＳ７０２、Ｓ７０３、Ｓ７０４、Ｓ７０６）。
【００１６】
このとき、受信品質情報および送信信号前処理情報は、直前に送信された送信信号系列数に対応する。つまり、サブフレーム４、７、１０では、サブフレーム１で送信された送信信号系列数すなわち３に対応した受信品質情報および送信信号前処理情報が送信される。サブフレーム１６では、サブフレーム１３で送信された送信信号系列数、すなわち４に対応した受信品質情報および送信信号前処理情報が送信される。
【００１７】
一方、Ｅ−ＵＴＲＡでは、移動局装置の消費電力を抑えるために、移動局装置が必要な期間のみパワーオンして信号を受信するＤＲＸ（Discontinuous Reception：間欠受信）の手法がある。図１２は、ＤＲＸ制御の概要を示す図である。移動局装置は、ＤＲＸサイクル８０１（繰り返し周期）間隔で、オン期間８０２（on-duration）と、ＤＲＸ機会８０３（opportunity for DRX）とを繰り返す。オン期間とＤＲＸサイクルが指定されるとＤＲＸ機会は一意に定まる。このオン期間は、ＰＤＣＣＨをモニタリングするように定められている１サブフレームまたは複数サブフレームで構成される期間である。
【００１８】
基地局装置は、オン期間において、上りリンクまたは下りリンクのリソース割当てを開始するためＰＤＣＣＨを送信する。オン期間にて上りリンクまたは下りリンクの初期送信データ（新データ）のスケジューリングを示すＰＤＣＣＨを受信した移動局装置は、オン期間を超えてある一定期間ＰＤＣＣＨをモニタリングする（８０４）。また、上りリンクデータまたは下りリンクデータの再送の可能性のある期間においては、移動局装置は、オン期間の範囲内外に関わらず、ＰＤＣＣＨをモニタリングする（８０５）。これらＰＤＣＣＨをモニタリングするために移動局装置が受信部を起動し、起きている状態の期間を活動期間（Active Time）と呼ぶ（８０６）。
【００１９】
基地局装置は、移動局装置が活動期間の間にデータを送信する。基地局装置から移動局装置へは、あらかじめＤＲＸサイクルの繰返し周期およびオン期間が通知され、移動局装置はその情報を基にあらかじめ周期的にパワーオンを繰り返すとともにＰＤＣＣＨの受信状況、およびデータの再送状況に応じてパワーオンする（非特許文献２参照）。
【００２０】
上記のＤＲＸを考慮した場合における、非特許文献１記載のフィードバックの一例について説明する。図１３は、従来の移動通信システムの基地局装置と移動局装置との間における処理の流れを示すタイミングチャートおよびシーケンスチャートである。図１３中の９１２には、ＤＲＸが示されており、サブフレーム６から１４までが活動期間以外の期間（ここでは非活動期間と呼ぶ）に相当する。９１０に示されるとおり、各種フィードバック情報のリソースは、図１１の例と同様に、サブフレーム１、４、７、１０、１３、１６に割り当てられ、これらのリソースのうち４回に１回の頻度で送信信号系列数情報を送信するよう基地局装置により設定される。
【００２１】
つまり、サブフレーム１および１３で送信信号系列数情報を、サブフレーム４、７、１０、１６では受信品質情報および送信信号前処理情報をフィードバックするよう設定が行なわれる。ただし、基地局装置から通知されるＤＲＸの非活動期間に合わせてフィードバックの停止を行なうため、移動局装置からのフィードバックはサブフレーム１、４、１６のみで行なわれ、それぞれ送信信号系列数（ステップＳ９０１）、受信品質情報および送信信号前処理情報（ステップＳ９０２）、受信品質情報および送信信号前処理情報（ステップＳ９０３）がフィードバックされる。
【００２２】
しかし、サブフレーム１６（ステップＳ９０３）に対応する送信信号系列数はサブフレーム１３の送信は非活動期間に重なってしまい、サブフレーム１６（ステップＳ９０３）で送信される受信品質情報および送信信号前処理情報はどの送信信号系列数に対応しているのかという情報を基地局装置は知ることができないという問題点がある。非特許文献２では、直前に送信された送信信号系列数に従って受信品質情報および送信信号前処理情報を計算し送信することが記載されているが、ＤＲＸ機会が伝搬路の変化速度に対して大きい場合、その送信信号系列数は最適なものから変化してしまっている可能性が高く、その結果としてスループット特性を低下させてしまう恐れがある。
【００２３】
さらにＤＲＸによって送信信号系列数が送信されないケースと同様に、送信信号系列数がスケジュールされたタイミングにおいて他の優先度の高い情報を送信する必要があり、送信信号系列数を送信できない場合も発生する。このような場合においても上記と同様の問題が発生する。
【先行技術文献】
【非特許文献】
【００２４】
【非特許文献１】Ｓｕｍｍａｒｙ  ｏｆ  ＡＨ  ｏｎ  ＡＩ  ６．３．４  “ＵＥ  Ｐｒｏｃｅｄｕｒｅｓ  ｆｏｒ  ｄｏｗｎｌｉｎｋ  ｓｈａｒｅｄ  ｃｈａｎｎｅｌ”，  ３ＧＰＰ  ＴＳＧ−ＲＡＮ  ＷＧ１  Ｍｅｅｔｉｎｇ  ＃５２，  Ｒ１−０８１１３７
【非特許文献２】３ＧＰＰ  ＴＳ  ３６．３２１  Ｖ８．０．０  （２００７−１２）  Ｔｅｃｈｎｉｃａｌ  Ｓｐｅｃｉｆｉｃａｔｉｏｎ  ３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）  Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ  （Ｒｅｌｅａｓｅ  ８）
【発明の概要】
【発明が解決しようとする課題】
【００２５】
しかしながら、上述したような従来の技術においては、例えば移動局装置が周期的に送信する送信信号系列数情報の送信タイミングが間欠受信中などのような理由により送信不可能となった場合には送信信号系列数情報の送信が行なえず、間欠受信が終了した直後の受信品質情報や送信信号前処理情報がどのような送信信号系列数に関してのものなのかが基地局装置にはわからないという問題がある。
【００２６】
この場合、間欠受信が開始される直前に送信された送信信号系列数情報に従った受信品質情報を移動局装置が送信するということも考えることができるが、例えば移動局装置の移動速度が速い場合など、送信信号系列数を送信できない状況において伝搬路の状況が変化し、それに伴い適切な送信信号系列数も変わってしまうため、受信品質情報や送信信号前処理情報自体が信頼性のないものになり、下りリンクの受信特性が劣化してしまうという問題点があった。
【００２７】
本発明は、このような実情に鑑みてなされたものであり、周期的な送信信号系列数品質表示信号の送信を行なうことができない場合に、その直後に行なわれる受信品質情報および送信信号前処理情報がどの送信信号系列数のものなのかを明確にし、基地局装置が適切な通信リソース割り当てを行なうことができる移動通信システム、基地局装置、移動局装置および通信方法を提供することを目的とする。
【課題を解決するための手段】
【００２８】
（１）上記の目的を達成するため、本発明は、以下のような手段を講じた。すなわち、本発明の移動通信システムは、移動局装置が送信信号系列数情報および該送信信号系列数情報に基づいて算出した送信信号前処理情報を、周期的に基地局装置に送信する移動通信システムにおいて、前記移動局装置は、前記送信信号系列数情報が前記基地局装置へ送信されなかった場合には、予め決められた送信信号系列数に基づいて送信信号前処理情報を算出することを特徴としている。
【００２９】
（２）また、本発明の移動通信システムにおいて、前記予め決められた送信信号系列数は、最小の送信信号系列数であることを特徴としている。
【００３０】
（３）また、本発明の移動通信システムにおいて、前記予め決められた送信信号系列数は、最大の送信信号系列数であることを特徴としている。  
【００３１】
（４）また、本発明の基地局装置は、移動局装置が送信信号系列数情報および該送信信号系列数情報に基づいて算出した送信信号前処理情報を、周期的に前記移動局装置から受信する基地局装置であって、前記送信信号系列数情報が送信されなかった場合には、予め決められた送信信号系列数に基づいて前記送信信号前処理情報を処理する手段を備えることを特徴としている。
【００３２】
（５）また、本発明の基地局装置において、前記予め決められた送信信号系列数は、最小の送信信号系列数であることを特徴としている。
【００３３】
（６）また、本発明の基地局装置において、前記予め決められた送信信号系列数は、最大の送信信号系列数であることを特徴としている。
【００３４】
（７）また、本発明の移動局装置は、送信信号系列数情報および該送信信号系列数情報に基づいて算出した送信信号前処理情報を周期的に基地局装置に送信する移動局装置であって、前記送信信号系列数情報を前記基地局装置へ送信しなかった場合には、予め決められた送信信号系列数に基づいて送信信号前処理情報を算出する手段を備えることを特徴としている。
【００３５】
（８）また、本発明の移動局装置において、前記予め決められた送信信号系列数は、最小の送信信号系列数であることを特徴としている。
【００３６】
（９）また、本発明の移動局装置において、前記予め決められた送信信号系列数は、最大の送信信号系列数であることを特徴としている。
【００３７】
（１０）また、本発明の移動通信システムは、移動局装置が送信信号系列数情報および該送信信号系列数情報に基づいて算出した送信信号前処理情報を、周期的に基地局装置に送信する移動通信システムにおいて、前記移動局装置は、前記送信信号系列数情報が前記基地局装置へ送信されなかった場合には、使用可能な最小の送信信号系列数に基づいて送信信号前処理情報を算出し、前記基地局装置は、前記送信信号系列数情報が送信されなかった場合には、前記使用可能な最小の送信信号系列数に基づいて前記送信信号前処理情報を処理することを特徴としている。
【００３８】
（１１）また、本発明の基地局装置は、移動局装置が送信信号系列数情報および該送信信号系列数情報に基づいて算出した送信信号前処理情報を、周期的に前記移動局装置から受信する基地局装置であって、前記送信信号系列数情報が送信されなかった場合には、使用可能な最小の送信信号系列数に基づいて前記送信信号前処理情報を処理する手段を備えることを特徴としている。
【００３９】
（１２）また、本発明の移動局装置は、送信信号系列数情報および該送信信号系列数情報に基づいて算出した送信信号前処理情報を周期的に基地局装置に送信する移動局装置であって、前記送信信号系列数情報を前記基地局装置へ送信しなかった場合には、使用可能な最小の送信信号系列数に基づいて送信信号前処理情報を算出する手段を備えることを特徴としている。
【００４０】
（１３）また、本発明の移動通信システムは、移動局装置が送信信号系列数情報および該送信信号系列数情報に基づいて算出した送信信号前処理情報を、周期的に基地局装置に送信する移動通信システムにおいて、前記移動局装置は、前記送信信号系列数情報が前記基地局装置へ送信されなかった場合には、使用可能な最大の送信信号系列数に基づいて送信信号前処理情報を算出し、前記基地局装置は、前記送信信号系列数情報が送信されなかった場合には、前記使用可能な最大の送信信号系列数に基づいて前記送信信号前処理情報を処理することを特徴としている。
【００４１】
（１４）また、本発明の基地局装置は、移動局装置が送信信号系列数情報および該送信信号系列数情報に基づいて算出した送信信号前処理情報を、周期的に前記移動局装置から受信する基地局装置であって、前記送信信号系列数情報が送信されなかった場合には、使用可能な最大の送信信号系列数に基づいて前記送信信号前処理情報を処理する手段を備えることを特徴としている。
【００４２】
（１５）また、本発明の移動局装置は、送信信号系列数情報および該送信信号系列数情報に基づいて算出した送信信号前処理情報を周期的に基地局装置に送信する移動局装置であって、前記送信信号系列数情報を前記基地局装置へ送信しなかった場合には、使用可能な最大の送信信号系列数に基づいて送信信号前処理情報を算出する手段を備えることを特徴としている。
【００４３】
（１６）また、本発明の通信方法は、移動局装置が送信信号系列数情報および該送信信号系列数情報に基づいて算出した送信信号前処理情報を、周期的に前記移動局装置から受信する基地局装置の通信方法であって、前記送信信号系列数情報が送信されなかった場合には、予め決められた送信信号系列数に基づいて前記送信信号前処理情報を処理することを特徴としている。
【００４４】
（１７）また、本発明の通信方法は、送信信号系列数情報および該送信信号系列数情報に基づいて算出した送信信号前処理情報を周期的に基地局装置に送信する移動局装置の通信方法であって、前記送信信号系列数情報を前記基地局装置へ送信しなかった場合には、予め決められた送信信号系列数に基づいて送信信号前処理情報を算出することを特徴としている。
【００４５】
（１８）また、本発明の通信方法は、移動局装置が送信信号系列数情報および該送信信号系列数情報に基づいて算出した送信信号前処理情報を、周期的に前記移動局装置から受信する基地局装置の通信方法であって、前記送信信号系列数情報が送信されなかった場合には、使用可能な最小の送信信号系列数に基づいて前記送信信号前処理情報を処理することを特徴としている。
【００４６】
（１９）また、本発明の通信方法は、送信信号系列数情報および該送信信号系列数情報に基づいて算出した送信信号前処理情報を周期的に基地局装置に送信する移動局装置の通信方法であって、前記送信信号系列数情報を前記基地局装置へ送信しなかった場合には、使用可能な最小の送信信号系列数に基づいて送信信号前処理情報を算出することを特徴とする通信方法。
【００４７】
（２０）また、本発明の通信方法は、移動局装置が送信信号系列数情報および該送信信号系列数情報に基づいて算出した送信信号前処理情報を、周期的に前記移動局装置から受信する基地局装置の通信方法であって、前記送信信号系列数情報が送信されなかった場合には、使用可能な最大の送信信号系列数に基づいて前記送信信号前処理情報を処理することを特徴としている。
【００４８】
（２１）また、本発明の通信方法は、送信信号系列数情報および該送信信号系列数情報に基づいて算出した送信信号前処理情報を周期的に基地局装置に送信する移動局装置の通信方法であって、前記送信信号系列数情報を前記基地局装置へ送信しなかった場合には、使用可能な最大の送信信号系列数に基づいて送信信号前処理情報を算出することを特徴としている。
【発明の効果】
【００４９】
本発明によれば、基地局装置から送信信号系列数情報を送信するために周期的に割り当てられた通信リソースで送信信号系列数情報を送信しなかった場合、前記通信リソースの次に前記基地局装置から割り当てられたフィードバック情報を送信可能な通信リソースで、送信信号系列数情報を前記基地局装置に対して送信するので、送信される受信品質情報および送信信号前処理情報に基づき基地局装置で適切な下りリンクの通信リソース割り当てを行なうことができる。
【図面の簡単な説明】
【００５０】
【図１】本発明の実施形態に係る基地局装置一構成例を示すブロック図である。
【図２】本発明の実施形態に係る移動局装置一構成例を示すブロック図である。
【図３】第１の実施形態に係る移動通信システムの基地局装置と移動局装置との間における処理の流れを説明するためのタイミングチャートを示す図である。
【図４】第１の実施形態に係る移動通信システムの基地局装置と移動局装置との間におけるシーケンスチャートである。
【図５】第２の実施形態に係る移動通信システムの基地局装置と移動局装置との間における処理の流れを説明するためのタイミングチャートを示す図である。
【図６】第２の実施形態に係る移動通信システムの基地局装置と移動局装置との間におけるシーケンスチャートである。
【図７】第３の実施形態に係る移動通信システムの基地局装置と移動局装置との間における処理の流れを説明するためのタイミングチャートを示す図である。
【図８】第３の実施形態に係る移動通信システムの基地局装置と移動局装置との間におけるシーケンスチャートである。
【図９】第４の実施形態に係る移動通信システムの基地局装置と移動局装置との間における処理の流れを説明するためのタイミングチャートを示す図である。
【図１０】第４の実施形態に係る移動通信システムの基地局装置と移動局装置との間におけるシーケンスチャートである。
【図１１】従来の移動通信システムの基地局装置と移動局装置との間における処理の流れを示すタイミングチャートおよびシーケンスチャートである。
【図１２】ＤＲＸ制御の概要を示す図である。
【図１３】従来の移動通信システムの基地局装置と移動局装置との間における処理の流れを示すタイミングチャートおよびシーケンスチャートである。
【発明を実施するための形態】
【００５１】
以下、本発明の実施形態について、図面を参照しながら説明する。なお、以下の説明において、本発明を移動通信システムに具現化する場合について説明するが、これに限定されるものではなく、移動通信方法としても成立するものである。
【００５２】
（第１の実施形態）
本発明の第１の実施形態に係る移動通信システムは、基地局装置と移動局装置とから構成されている。図１および図２は、本実施形態に係る基地局装置および移動局装置の一構成例を示すブロック図である。図１に示すように、基地局装置は、データ制御部１、変調符号化部３、送信信号前処理部４、マッピング部５、逆高速フーリエ変換（ＩＦＦＴ）部７、無線送信部１１、無線受信部１５、高速フーリエ変換（ＦＦＴ）部１７、逆離散フーリエ変換（ＩＤＦＴ）部２１、復調復号化部２２、データ抽出部２３、送信情報制御部２７、アンテナ１２を備えている。
【００５３】
送信情報制御部２７は、スケジューラ部２５、変調符号制御部３１、周波数選択スケジューラ部３３、送信信号の系列数情報制御部３５、送信信号前処理情報制御部３６を含んでいる。アンテナ１２はＭＩＭＯ・ＳＤＭ通信に必要となるアンテナ数を備えている。
【００５４】
データ制御部１には、各移動局装置に送信される送信データと、制御データとが入力され、送信情報制御部２７からの指示に従って、それぞれのデータが逐次、移動局装置に送信される。出力データについて、ＭＩＭＯ・ＳＤＭが適用される場合には送信信号の系列数情報制御部３５の情報に従い、複数の送信系列に分けられる。
【００５５】
変調符号化部３は、送信情報制御部２７による変調方式および符号化率に基づいて、データ制御部１から入力される信号に対して、変調処理や誤り訂正符号化処理を施し、送信信号前処理部４へ出力する。送信信号前処理部４は、変調符号化部３から入力される信号を、送信情報制御部２７から入力される制御情報に基づき処理し、マッピング部５に出力する。
【００５６】
マッピング部５は、送信情報制御部２７から入力される周波数選択スケジューリング情報に基づいて、変調符号化部３から出力されるデータを、各サブキャリア上にマッピングし、逆高速フーリエ変換部７に出力する。逆高速フーリエ変換部７は、マッピング部５から出力されるデータに、逆高速フーリエ変換の処理を施し、時系列のベースバンドデジタル信号に変換し、無線送信部１１に出力する。
【００５７】
逆高速フーリエ変換部７からの出力信号は、無線送信部１１においてデジタル／アナログ変換され、送信に適した周波数にアップコンバートされた後に、アンテナ１２を介して、各移動局装置に送信される。
【００５８】
スケジューラ部２５は、各移動局装置が使用することのできるリソース領域、間欠送受信サイクル、送信データチャネルのフォーマット、バッファ状況などの制御情報に基づき、下りリンクのスケジューリング、上りリンクのスケジューリングを行なうとともに、送信信号系列数変更の制御を行なう。変調符号制御部３１は、移動局装置から送信される受信品質情報に基づいて、各データに施す変調方式、符号化率を決定する。
【００５９】
周波数選択スケジューラ部３３は、移動局装置から送信されるフィードバック情報に基づいて、各データに施す周波数選択スケジューリングの処理を行なう。送信信号の系列数情報制御部３５は、移動局装置から送信される送信信号の系列数情報と自基地局装置のトラフィック状況などの情報に基づき、送信信号の系列数を決定する。送信信号前処理情報制御部３６は、移動局装置から送信される送信信号前処理情報に基づいて、送信データに施す前処理を決定する。
【００６０】
送信情報制御部２７は、上位レイヤから入力される制御情報、データ抽出部２３から入力される制御情報を利用して、スケジューラ部２５、変調符号制御部３１、周波数選択スケジューラ部３３、送信信号の系列数情報制御部３５、送信信号前処理情報制御部３６、送信情報制御部２７の動作を制御する。それぞれの出力情報を管理しデータ制御部１、変調符号化部３、送信信号前処理部４、マッピング部５の動作に必要な制御情報を出力する。
【００６１】
無線受信部１５は、アンテナ１２にて受信した信号をアナログ／デジタル変換し、ベースバンド信号へダウンコンバートした後に、高速フーリエ変換（ＦＦＴ）部１７へ出力する。高速フーリエ変換部１７は受信信号を処理時間単位ごとにフーリエ変換し、逆離散フーリエ変換部２１へ出力する。逆離散フーリエ変換部２１は、入力信号を移動局装置ごとに割り当てた帯域に分割して、逆フーリエ変換処理を行ない、ＳＣ−ＦＤＭＡ信号を再生した信号を復調復号化部２２へ出力する。
【００６２】
復調復号化部２２は入力された信号を移動局装置ごとに復調・復号を行ない、データ抽出部２３へ出力する。データ抽出部２３では、復調復号化部２２からの入力信号について、送信情報制御部２７での制御情報生成に必要な情報、受信データ、上位レイヤで必要となる制御データに分割し出力する。
【００６３】
一方、図２に示すように、移動局装置は、データ制御部４１、変調符号化部４３、離散フーリエ変換（ＤＦＴ）部４４、マッピング部４５、逆高速フーリエ変換（ＩＦＦＴ）部４７、無線送信部５１、無線受信部５３、高速フーリエ変換（ＦＦＴ）部５５、復調復号化部５７、データ抽出部６１、アンテナ６３を備えている。フィードバック情報制御部６５は、受信品質情報生成部６７、受信品質測定部７１、送信信号前処理情報生成部６８、送信信号の系列数情報生成部６９を備えている。アンテナ６３はＭＩＭＯ・ＳＤＭ通信に必要となるアンテナ数を備えている。
【００６４】
データ制御部４１には、基地局装置に送信される送信データと、制御データと、フィードバック情報制御部６５から出力されるフィードバック情報とが入力され、それぞれのデータが逐次、基地局装置に送信される。
【００６５】
変調符号化部４３は、データ制御部４１から入力される信号に変調処理や誤り訂正符号化処理を施し、各データを離散フーリエ変換部４４に出力する。離散フーリエ変換部４４は、変調符号化部４３から入力される信号についてフーリエ変換処理を行ない、ＳＣ−ＦＤＭＡを行なうための信号を生成し、マッピング部４５へ出力する。マッピング部４５は、離散フーリエ変換部４４から入力されるデータを、基地局装置より割り当てられたサブキャリア上にマッピングし、逆高速フーリエ変換部４７に出力する。
【００６６】
逆高速フーリエ変換部４７は、マッピング部４５から入力されるシンボル系列に逆高速フーリエ変換の処理を施し、時系列のベースバンドデジタル信号に変換し、無線送信部５１に出力する。逆高速フーリエ変換部４７からの出力信号は、無線送信部５１においてデジタル／アナログ変換され、送信に適した周波数にアップコンバートされた後に、アンテナを介して、基地局装置に送信される。
【００６７】
受信品質測定部７１は、基地局装置から受信する信号の受信品質を測定する。受信品質情報生成部６７は、受信品質測定部７１によって測定された情報に基づいて、基地局装置に送信する受信品質情報を生成する。送信信号前処理情報生成部６８は、基地局装置から受信した信号を利用して伝搬路情報を算出し、基地局装置で行なうべき送信信号に対する前処理の情報を生成する。送信信号の系列数情報生成部６９は、基地局装置から受信した信号を利用して伝搬路情報を算出し、基地局装置と通信可能な送信系列数を算出する。
【００６８】
フィードバック情報制御部６５は、受信品質情報生成部６７、送信信号前処理情報生成部６８、送信信号の系列数情報生成部６９が生成する制御信号を管理し、データ制御部４１へ出力する。フィードバック情報制御部６５にて管理されるフィードバック情報は、ここに記載されている信号の生成および制御に限られるものではなく、その他の種類のフィードバック情報を管理するための部位を含んでもよい。
【００６９】
図３は、第１の実施形態に係る移動通信システムの基地局装置と移動局装置との間における処理の流れを説明するためのタイミングチャートを示す図であり、図４は、第１の実施形態に係る移動通信システムの基地局装置と移動局装置との間におけるシーケンスチャートである。図３および図４に示すように、受信品質情報、送信信号前処理情報、送信信号系列数情報は、基地局装置から移動局装置に対して行なわれる上り制御チャネルリソース割り当てが行なわれたサブフレームでのみ送信される。また、ここでは、受信品質情報と送信信号前処理情報は同時に送信できるが、この２つの情報と送信信号系列信号は同時には送信されない。なお、図３および図４においては、一例として上り制御チャネルリソース割り当ては３個のサブフレーム毎に割り当てられており、そのうち送信信号系列数情報は上り制御チャネルリソース割り当てが４回行なわれる毎に１回送信され、それ以外の上り制御チャネルリソース割り当て時には受信品質情報と送信信号前処理情報が周期的に送信される。
【００７０】
図３および図４を使って、本実施形態に係る移動通信システムの動作を説明する。基地局装置は、移動局装置が、受信品質情報、送信信号前処理情報、送信信号系列数情報を送信するための上り制御チャネルのリソースを、例えば、無線資源制御信号（ＲＲＣシグナリング）を使用して永続的・長期的に割り当てることができる。まず、最初に上り制御チャネルリソースが割り当てられたサブフレーム１にて、送信信号系列数情報が、移動局装置から基地局装置に対してフィードバックされる（ステップＳ４１）。ここでは、移動局装置が、送信信号系列数情報の送信をサブフレーム１から送信しているが、移動局装置が、受信品質情報、送信信号前処理情報、送信信号系列数情報の送信を開始するサブフレームは、基地局装置から送信されるオフセット値によって設定することができる。
【００７１】
次の上り制御チャネルリソース割り当てが行なわれたサブフレーム４では、サブフレーム１にて基地局装置に送信された送信信号系列数情報（＝３）に対応した受信品質情報および送信信号前処理情報が移動局装置から基地局装置に対して送信される（ステップＳ４２）。次に、サブフレーム６からＤＲＸの非活動期間が始まり、基地局装置から移動局装置に対しての下りリンクのデータ送信が停止される（ステップＳ４３）。サブフレーム７およびサブフレーム１０は上り制御チャネルリソース割り当てが行なわれたサブフレームであるが、ＤＲＸの非活動期間であるため、受信品質情報および送信信号前処理情報はフィードバックされない。
【００７２】
次に、サブフレーム１３では送信信号系列数情報をフィードバックするタイミングではあるが、ＤＲＸの非活動期間であるため、やはりフィードバックは行なわれない（ステップＳ４３）。移動局装置は、ＤＲＸの非活動期間が終了した次の上り制御チャネルリソース割り当てが行なわれたサブフレーム１６にて送信信号系列数情報（＝２）のフィードバックを行なう（ステップＳ４４）。また、このとき、本来サブフレーム１６では、受信品質情報および送信信号前処理情報のフィードバックタイミングではあるが、送信信号系列情報をフィードバックするために、これらをフィードバックしない。そして、その次の上り制御チャネルリソース割り当てが行なわれたサブフレーム１９およびサブフレーム２２では、サブフレーム１６にてフィードバックされた送信信号系列数情報（＝２）に対応した受信品質情報および送信信号前処理情報が基地局装置にフィードバックされる（ステップＳ４５、Ｓ４６）。
【００７３】
次に、サブフレーム２５にて、送信信号系列数情報が、移動局装置から基地局装置に対してフィードバックされる（ステップＳ４７）。そして、次の上り制御チャネルリソース割り当てが行なわれたサブフレーム２８およびサブフレーム３１では、サブフレーム２５にて基地局装置に送信された送信信号系列数情報（＝４）に対応した受信品質情報および送信信号前処理情報が移動局装置から基地局装置に対して送信される（ステップＳ４８、Ｓ４９）。
【００７４】
このように、本発明の第１の実施形態に係る移動通信システムによれば、送信信号系列数情報の送信タイミングとなるサブフレームがＤＲＸの非活動期間中になり、送信信号系列情報のフィードバックができない場合でも、ＤＲＸの非活動期間が終了した次の上り制御チャネルリソース割り当てがあるサブフレームにて送信信号系列数情報をフィードバックするようにするため、ＤＲＸの非活動期間終了後に基地局装置が正しい送信系列数情報を知ることができ、その後に送信される受信品質情報および送信信号前処理情報に基づき基地局装置で適切な下り通信を行なうことができる。
【００７５】
なお、本実施形態ではサブフレーム１６において受信品質情報および送信信号前処理情報を送信せず、その代わりに送信信号系列数情報を送信したが、これらすべての情報を同時に送信することも可能である。また、ＤＲＸの活動期間と非活動期間でフィードバックを行なうかどうかを決めて説明したが、ＤＲＸのオン期間とＤＲＸ機会でフィードバックを行なうかどうかを決めても良い。
【００７６】
（第２の実施形態）
次に、本発明の第２の実施形態に係る移動通信システムについて図面を参照しながら説明する。本発明の第２の実施形態に係る移動通信システムにおいては、ＤＲＸの非活動期間中のために送信系列数情報フィードバックが行なえない場合に、ＤＲＸの非活動期間が終了し、次の送信系列数情報のフィードバックを行なうまで、移動局装置が送信系列数を予め決められた値に設定して、その値に対応した受信品質情報と送信信号前処理情報を基地局装置にフィードバックするという点で、第１の実施形態に係る移動通信システムと相違する。なお、図１および図２に示す基地局装置および移動局装置の構成は同じである。
【００７７】
図５は、第２の実施形態に係る移動通信システムの基地局装置と移動局装置との間における処理の流れを説明するためのタイミングチャートを示す図であり、図６は、第２の実施形態に係る移動通信システムの基地局装置と移動局装置との間におけるシーケンスチャートである。図５および図６に示すように、本実施形態に係る移動通信システムにおいても、サブフレーム１から１３までの動作（ステップＳ６１〜ステップＳ６３）は、第１の実施形態と同様の動作になるため説明を省略する。
【００７８】
次に、移動局装置は、ＤＲＸの非活動期間が終了してから、サブフレーム２５において次の送信信号系列情報（＝４）のフィードバックが行なわれるまでの間、次の動作を行なう。すなわち、上りリンク制御チャネルリソース割り当てが発生するサブフレーム１６、サブフレーム１９およびサブフレーム２２において、予め定義された送信信号系列数情報に対応した受信品質情報と送信前処理情報を基地局装置にフィードバックする（ステップＳ６４、Ｓ６５、Ｓ６６）。ここで、予め定義された送信信号系列数情報とは、例えば、移動局装置からフィードバックされる情報の情報量が最も少なくなる送信信号系列数＝１（最小の値）や、最も伝搬路を効率的に使用することができる（最大のスループットを得ることが出来る）送信信号系列数＝４（最大の値）などであり、基地局装置、移動局装置の間で事前に仕様書などによって定義することができる。
【００７９】
そして、基地局装置は、ＤＲＸの非活動期間が終了してから、移動局装置からの次の送信系列数情報のフィードバックが行なわれるまでの間にフィードバックされた受信品質情報および送信前処理情報について、送信系列情報が予め決められた値（例えば、送信信号系列数＝１（最小の値）や送信信号系列数＝４（最大の値））に対応されたものとして処理を行なう。そして、サブフレーム２５にて送信信号系列数情報（＝４）が移動局装置からフィードバックされた後（ステップＳ６７）、サブフレーム２８およびサブフレーム３１において、そのフィードバックされた送信信号系列数情報（＝４）に対応した受信品質情報および送信信号前処理情報がフィードバックされる（ステップＳ６８、Ｓ６９）。
【００８０】
なお、図５および図６では、ＤＲＸ非活動期間終了後からその次の送信信号系列数情報がフィードバックされるまでの間の、予め決められた送信系列数情報の値を、一例として１に設定して説明しているが、上記で説明した通り、事前に仕様書などで定義することができる。また、送信系列数情報の値が閉ループ制御を送信ダイバーシティに対応する場合など、送信信号前処理情報が不要となる場合も発生する。この場合、移動局装置は受信品質情報のみを送信し、基地局装置は受信品質情報のみが送信されたとしてこれを処理する。
【００８１】
このように、本発明の第２の実施形態に係る移動通信システムによれば、送信信号系列数情報の送信タイミングとなるサブフレームがＤＲＸの非活動期間中になり、送信信号系列情報のフィードバックができない場合でも、ＤＲＸの非活動期間終了後からその次の送信信号系列数情報についての移動局装置からのフィードバックがあるまで、送信信号系列数情報を予め決められた値に対応した受信品質情報および送信前処理情報をフィードバックすることにより、伝搬路の状況に適合しない送信信号系列数での通信によるバースト誤りの発生を防ぐことができる。
【００８２】
（第３の実施形態）
次に、本発明の第３の実施形態に係る移動通信システムについて図面を参照しながら説明する。本発明の第３の実施形態に係る移動通信システムにおいては、ＤＲＸの非活動期間終了後から、次の送信信号系列数情報のフィードバックを行なうまでの間は、移動局装置が基地局装置に受信品質情報および送信前処理情報のフィードバックを行なわず、その間は基地局装置が予め決められた送信信号系列数にて下りリンクデータを送信するという点が第１および第２の実施形態と異なる。なお、図１および図２に示す基地局装置および移動局装置の構成は同じである。
【００８３】
図７は、第３の実施形態に係る移動通信システムの基地局装置と移動局装置との間における処理の流れを説明するためのタイミングチャートを示す図であり、図８は、第３の実施形態に係る移動通信システムの基地局装置と移動局装置との間におけるシーケンスチャートである。図７および図８に示すように、本実施形態に係る移動通信システムにおいても、サブフレーム１から１３までの動作（ステップＳ８１〜ステップＳ８３）は、第１の実施形態と同様の動作になるため説明を省略する。
【００８４】
次に、移動局装置は、ＤＲＸの非活動期間終了した後、サブフレーム２５にて次の送信信号系列数情報（＝４）がフィードバックされるまでの間、上り制御チャネルリソースが割り当てられたサブフレーム（サブフレーム１６、１９、２２）でも、受信品質情報および送信前処理情報のフィードバックを行なわない（ステップＳ８４）。基地局装置は、ＤＲＸの非活動期間終了後から、次の送信信号系列数情報のフィードバックが行なわれるまでの間、予め決められた形式で下りリンクデータの送信を行なう。
【００８５】
具体的には、サブフレーム２３では、基地局装置から移動局装置へ下りリンク信号の割り当てが制御チャネルで送信され、そこで指定されたリソースにおいて、下りリンク信号が送信される。このサブフレームにおいては、基地局装置において、予め決められた送信信号系列数を利用した信号送信が行なわれる。ここで、予め決められた形式とは、例えば、移動局装置からフィードバックされる情報の情報量が最も少なくなる送信信号系列数＝１（最小の値）や、最も伝搬路を効率的に使用することができる（最大のスループットを得ることが出来る）送信信号系列数＝４（最大の値）などであり、基地局装置、移動局装置の間で事前に仕様書などによって定義することができる。
【００８６】
そして、サブフレーム２５にて送信信号系列数情報（＝４）が移動局装置からフィードバックされた後（ステップＳ８５）、サブフレーム２８およびサブフレーム３１において、そのフィードバックされた送信信号系列数情報（＝４）に対応した受信品質情報および送信信号前処理情報がフィードバックされる（ステップＳ８６、Ｓ８７）。基地局装置は、その送信系列数情報、受信品質情報、送信前処理情報に対応した、適切な下りリンクデータの送信を実施する。
【００８７】
このように、本発明の第３の実施形態に係る移動通信システムによれば、送信信号系列数情報の送信タイミングとなるサブフレームがＤＲＸの非活動期間中になり、送信信号系列情報のフィードバックができない場合でも、ＤＲＸの非活動期間終了後から次の送信系列数情報のフィードバックを行なうまでの間、移動局装置が受信品質情報および送信前処理情報のフィードバックを行なわず、基地局装置が予め決められた形式にて下りリンクデータを送信するため、利用されないフィードバック情報を送信するための電力消費を削減することができる。
【００８８】
（第４の実施形態）
次に、本発明の第４の実施形態に係る移動通信システムについて図面を参照しながら説明する。本発明の第４の実施形態に係る移動通信システムにおいては、ＤＲＸの非活動期間終了後から、次の送信信号系列数情報のフィードバックを行なうまでの間は、移動局装置から受信品質情報および送信前処理情報のフィードバックを行なっても、基地局装置でそれを破棄（無効）とし、予め決められた形式で下りリンクデータを送信するという点が、第１、第２および第３の実施形態と異なる。なお、図１および図２に示す基地局装置および移動局装置の構成は同じである。
【００８９】
図９は、第４の実施形態に係る移動通信システムの基地局装置と移動局装置との間における処理の流れを説明するためのタイミングチャートを示す図であり、図１０は、第４の実施形態に係る移動通信システムの基地局装置と移動局装置との間におけるシーケンスチャートである。図９および図１０に示すように、本実施形態に係る移動通信システムにおいても、サブフレーム１から１３までの動作（ステップＳ１０１〜Ｓ１０３）は、第１の実施形態と同様の動作になるため説明を省略する。
【００９０】
次に、移動局装置は、ＤＲＸの非活動期間終了後から、サブフレーム２５において、次の送信系列数情報のフィードバックを行なうまでの間、次の動作を行なう。すなわち、上り制御チャネルリソース割り当てが行なわれたサブフレーム（サブフレーム１６、１９および２２）にて、前回（サブフレーム１）フィードバックを行なった送信系列数情報（＝３）に対応した受信品質情報および送信前処理情報を、基地局装置にフィードバックする（ステップＳ１０４）。基地局装置は、ＤＲＸの非活動期間終了後から次の送信系列数情報のフィードバックが移動局装置から行なわれるまでの間、移動局装置からフィードバックされる受信品質情報および送信前処理情報を無効として破棄し、予め決められた形式にて下りリンクデータの送信を行なう（ステップＳ１０４）。
【００９１】
具体的には、サブフレーム２３では、基地局装置から移動局装置へ下りリンク信号の割り当てが制御チャネルで送信され、そこで指定されたリソースにおいて、下りリンク信号が送信される。このサブフレームにおいては、基地局装置において受信されている送信信号系列数が破棄されており、予め決められた送信信号系列数を利用した信号送信が行なわれる。ここで、予め決められた形式とは、例えば、移動局装置からフィードバックされる情報の情報量が最も少なくなる送信信号系列数＝１（最小の値）や、最も伝搬路を効率的に使用することができる（最大のスループットを得ることが出来る）送信信号系列数＝４（最大の値）などであり、基地局装置、移動局装置の間で事前に仕様書などによって定義することができる。
【００９２】
そして、サブフレーム２５にて送信信号系列数情報（＝４）が移動局装置からフィードバックされた後（ステップＳ１０５）、サブフレーム２８およびサブフレーム３１において、そのフィードバックされた送信信号系列数情報（＝４）に対応した受信品質情報および送信信号前処理情報がフィードバックされる（ステップＳ１０６、Ｓ１０７）。基地局装置は、その送信系列数情報、受信品質情報、送信前処理情報に従って、適切な下りリンクデータの送信を実施する。
【００９３】
このように、本発明の第４の実施形態に係る移動通信システムによれば、送信信号系列数情報の送信タイミングとなるサブフレームがＤＲＸの非活動期間中になり、送信信号系列情報のフィードバックができない場合でも、ＤＲＸの非活動期間終了後から次の送信系列数情報のフィードバックを行なうまでの間、移動局装置が受信品質情報および送信前処理情報のフィードバックを行なっても、基地局装置が予め決められた形式にて下りリンクデータの送信を行なうため、伝搬路の状況に適合しない送信信号系列数での通信によるバースト誤りの発生を防ぐことができる。
【００９４】
（第５の実施形態）
上記第１から第４の実施形態においては、移動局装置からフィードバックされる送信信号系列数情報が送信できない状況が発生した理由をＤＲＸに起因するとして例示したが、この理由はＤＲＸに限るものではない。移動局装置、基地局装置はＤＲＸ以外の理由に起因して送信信号系列数情報が送信できない状況が発生した場合にも、上記、第１から第４の実施形態を適用することができる。例えば、移動局装置は、基地局装置にリソースの割り当てを要求する信号（以下、スケジューリングリクエスト）を送信するために、送信信号系列数情報が送信できない状況が発生した場合、上記、第１から第４の実施形態を適用することができる。移動局装置は、送信信号系列数情報を送信するために上り制御チャネルリソースの割り当てが行なわれたサブフレームで、他の上りリンク制御信号（例えば、スケジューリングリクエスト）を送信するために、送信信号系列数情報が送信できない状況が発生した場合、上記、第１から第４の実施形態を適用することができる。
【００９５】
この例を、第１の実施形態を説明する図３および図４を使用して説明する。なお、図１および図２に示す基地局装置および移動局装置の構成は同じである。第１の実施形態と同様に、移動局装置は、最初に上り制御チャネルリソースが割り当てられたサブフレーム１にて、送信信号系列数情報を基地局装置に対してフィードバックする。続いて、上り制御チャネルリソース割り当てが行なわれたサブフレーム４、サブフレーム７、サブフレーム１０では、サブフレーム１にて基地局装置に送信した送信信号系列数情報（＝３）に対応した受信品質情報および送信信号前処理情報を送信する。第５の実施形態では、ＤＲＸを考慮していない。
【００９６】
次に、基地局装置によって、送信信号系列数情報を送信するように上り制御チャネルリソースの割り当てが行なわれたサブフレーム１３のタイミングで、移動局装置が、他の上りリンク制御信号（例えば、スケジューリングリクエスト）を送信するために、送信信号系列数情報（＝２）が送信できない状況が発生した場合、次の上り制御チャネルリソース割り当てが行なわれたサブフレーム１６にて送信信号系列数情報（＝２）のフィードバックを行なう。第１の実施形態と同様に、本来サブフレーム１６では受信品質情報および送信信号前処理情報のフィードバックタイミングではあるが、送信信号系列情報をフィードバックするために、フィードバックしない。そして、その次の上り制御チャネルリソース割り当てが行なわれるサブフレーム１９およびサブフレーム２２では、サブフレーム１６にてフィードバックされた送信信号系列数情報（＝２）に対応した受信品質情報および送信信号前処理情報が基地局装置にフィードバックされる。
【００９７】
同様に、移動局装置は、送信信号系列数情報が送信できない状況が発生した場合（例えば、他の上りリンク制御信号を送信した場合）、第２の実施形態で説明した通り、上り制御チャネルリソースの割り当てが行なわれたサブフレームで次の送信系列数情報のフィードバックを行なうまで、送信系列数を予め決められた値に設定して、受信品質情報と送信信号前処理情報を基地局装置にフィードバックすることができる。
【００９８】
また、移動局装置において送信信号系列数情報が送信できない状況が発生した場合（例えば、他の上りリンク制御信号を送信した場合）、第３の実施形態で説明した通り、移動局装置は、上り制御チャネルリソースの割り当てが行なわれたサブフレームで次の送信信号系列数情報のフィードバックを行なうまで受信品質情報および送信前処理情報のフィードバックを行なわず、基地局装置は、予め決められた送信信号系列数にて下りリンクデータの送信を行なうことができる。
【００９９】
また、移動局装置において送信信号系列数情報が送信できない状況が発生した場合（例えば、他の上りリンク制御信号を送信した場合）、第４の実施形態で説明した通り、移動局装置が、上り制御チャネルリソースの割り当てが行なわれたサブフレームで次の送信信号系列数情報のフィードバックを行なうまでの間は、基地局装置は、移動局装置から受信品質情報および送信前処理情報がフィードバックされても、それを破棄（無効）し、予め決められた形式で下りリンクデータを送信することができる。
【０１００】
このように、本発明の第５の実施形態に係る移動通信システムによれば、移動局装置が、ＤＲＸ以外の理由に起因して（例えば、他の上りリンク制御信号を送信する）、送信信号系列数情報が送信できない状況が発生した場合でも、基地局装置が正しい送信系列数情報を知ることができ、その後に送信される受信品質情報および送信信号前処理情報に基づき基地局装置で適切な下りリンクの通信を行なうことができる。
【０１０１】
上記の第１から第５の実施形態では、受信品質情報と送信信号前処理情報を同一のタイミングで送信するようスケジュールを行なったが、これらを異なるサブフレームにスケジュールした場合にも同様の処理を行なうことができる。
【０１０２】
（Ａ）本実施形態に係る移動局装置は、複数のアンテナを備え、前記複数のアンテナの一部または全部を用いて基地局装置と無線通信を行なう移動局装置であって、受信品質を表す受信品質情報、前記基地局装置で送信信号を前処理するために用いられる送信信号前処理情報および多重される送信信号の系列を表す送信信号系列数情報を含むフィードバック情報を生成するフィードバック情報生成部と、前記生成されたフィードバック情報を周期的に前記基地局装置に対して送信する送信部と、を備え、前記送信部は、前記基地局装置から送信信号系列数情報を送信するために周期的に割り当てられた通信リソースで送信信号系列数情報を送信しなかった場合、前記通信リソースの次に前記基地局装置から割り当てられたフィードバック情報を送信可能な通信リソースで送信信号系列数情報を前記基地局装置に対して送信することを特徴としている。
【０１０３】
このように、基地局装置から送信信号系列数情報を送信するために周期的に割り当てられた通信リソースで送信信号系列数情報を送信しなかった場合、前記通信リソースの次に前記基地局装置から割り当てられたフィードバック情報を送信可能な通信リソースで、送信信号系列数情報を前記基地局装置に対して送信するので、例えば、送信信号系列数情報の送信タイミングとなるサブフレームがＤＲＸの非活動期間中になり、移動局装置から基地局装置に対して送信信号系列情報のフィードバック送信ができなかった場合でも、ＤＲＸの非活動期間が終了した次の上り制御チャネルリソース割り当てがあるサブフレームにてフィードバックすることができる。これにより、ＤＲＸの非活動期間終了後に基地局装置が正しい送信系列数情報を知ることができ、その後に送信される受信品質情報および送信信号前処理情報に基づき基地局装置で適切な下りリンクの通信リソース割り当てを行なうことができる。
【０１０４】
（Ｂ）また、本実施形態に係る移動局装置は、複数のアンテナを備え、前記複数のアンテナの一部または全部を用いて基地局装置と無線通信を行なう移動局装置であって、受信品質を表す受信品質情報、前記基地局装置で送信信号を前処理するために用いられる送信信号前処理情報および多重される送信信号の系列を表す送信信号系列数情報を含むフィードバック情報を生成するフィードバック情報生成部と、前記生成されたフィードバック情報を周期的に前記基地局装置に対して送信する送信部と、を備え、前記送信部が、前記基地局装置から送信信号系列数情報を送信するために周期的に割り当てられた通信リソースで送信信号系列数情報を送信しなかった場合、前記通信リソースの次に前記基地局装置から送信信号系列数情報を送信するために周期的に割り当てられた通信リソースまでの間では、前記フィードバック情報生成部は、予め定義された送信信号系列数に対応した受信品質情報および送信信号前処理情報を生成し、前記送信部は、前記予め定義された送信信号系列数に対応した受信品質情報および前記送信信号前処理情報の少なくとも一方を前記基地局装置に対して送信することを特徴としている。
【０１０５】
このように、基地局装置から送信信号系列数情報を送信するために周期的に割り当てられた通信リソースで送信信号系列数情報を送信しなかった場合、前記通信リソースの次に前記基地局装置から送信信号系列数情報を送信するために周期的に割り当てられた通信リソースまでの間では、予め定義された送信信号系列数に対応した受信品質情報および前記送信信号前処理情報の少なくとも一方を前記基地局装置に対して送信するので、送信信号系列数情報の送信タイミングとなるサブフレームが、例えば、ＤＲＸの非活動期間中になり、送信信号系列情報のフィードバックができない場合でも、ＤＲＸの非活動期間終了後からその次の送信信号系列数情報についての移動局装置からのフィードバックがあるまで、送信信号系列数情報を予め決められた固定値に対応した受信品質情報および送信前処理情報をフィードバックすることができる。これにより、基地局装置で適切な下りリンクの通信リソース割り当てを行なうことができる。
【０１０６】
（Ｃ）また、本実施形態に係る移動局装置は、複数のアンテナを備え、前記複数のアンテナの一部または全部を用いて基地局装置と無線通信を行なう移動局装置であって、受信品質を表す受信品質情報、前記基地局装置で送信信号を前処理するために用いられる送信信号前処理情報および多重される送信信号の系列を表す送信信号系列数情報を含むフィードバック情報を生成するフィードバック情報生成部と、前記生成されたフィードバック情報を周期的に前記基地局装置に対して送信する送信部と、を備え、前記送信部は、前記基地局装置から送信信号系列数情報を送信するために周期的に割り当てられた通信リソースで送信信号系列数情報を送信しなかった場合、前記通信リソースの次に前記基地局装置から送信信号系列数情報を送信するために周期的に割り当てられた通信リソースまでの間では、フィードバック情報の送信を停止することを特徴としている。
【０１０７】
このように、基地局装置から送信信号系列数情報を送信するために周期的に割り当てられた通信リソースで送信信号系列数情報を送信しなかった場合、前記通信リソースの次に前記基地局装置から送信信号系列数情報を送信するために周期的に割り当てられた通信リソースまでの間では、フィードバック情報の送信を停止するので、送信信号系列数情報の送信タイミングとなるサブフレームがＤＲＸの非活動期間中になり、送信信号系列情報のフィードバックができない場合でも、ＤＲＸの非活動期間終了後から次の送信系列数情報のフィードバックを行なうまでの間、移動局装置が受信品質情報および送信前処理情報のフィードバックを行なわず、基地局装置が予め決められた形式にて下りリンク通信リソースの割り当てを行なうことができる。これにより、可能な限り正常な下りリンク通信を行なうことができる。
【０１０８】
（Ｄ）また、本実施形態に係る基地局装置は、複数のアンテナを備え、前記複数のアンテナの一部または全部を用いて移動局装置と無線通信を行なう基地局装置であって、前記移動局装置が送信信号系列数情報を送信するために、前記移動局装置に対して通信リソースを周期的に割り当てるスケジューラ部と、少なくとも前記移動局装置から送信された送信信号系列数情報に基づいて、送信信号の系列数を決定する送信信号系列数情報制御部と、を備え、前記送信信号系列数情報制御部は、前記移動局装置が前記通信リソースで送信信号系列数情報を送信しなかった場合、前記通信リソースの次に割り当てたフィードバック情報を送信可能な通信リソースで送信された情報に基づいて、送信信号の系列数を決定することを特徴としている。
【０１０９】
このように、移動局装置が前記通信リソースで送信信号系列数情報を送信しなかった場合、前記通信リソースの次に割り当てたフィードバック情報を送信可能な通信リソースで送信された情報に基づいて、送信信号の系列数を決定するので、例えば、移動局装置において、送信信号系列数情報の送信タイミングとなるサブフレームがＤＲＸの非活動期間中になり、移動局装置から基地局装置に対して送信信号系列情報のフィードバック送信ができなかった場合でも、ＤＲＸの非活動期間が終了した次の上り制御チャネルリソース割り当てがあるサブフレームにてフィードバックすることができる。これにより、ＤＲＸの非活動期間終了後に基地局装置が正しい送信系列数情報を知ることができ、その後に送信される受信品質情報および送信信号前処理情報に基づき基地局装置で適切な下りリンクの通信リソース割り当てを行なうことができる。
【０１１０】
（Ｅ）また、本実施形態に係る基地局装置は、複数のアンテナを備え、前記複数のアンテナの一部または全部を用いて移動局装置と無線通信を行なう基地局装置であって、前記移動局装置が送信信号系列数情報を送信するために、前記移動局装置に対して通信リソースを周期的に割り当てるスケジューラ部と、少なくとも前記移動局装置から送信された送信信号系列数情報に基づいて、送信信号の系列数を決定する送信信号系列数情報制御部と、を備え、前記送信信号系列数情報制御部は、前記移動局装置が前記通信リソースで送信信号系列数情報を送信しなかった場合、前記通信リソースの次に送信信号系列数情報を送信するために周期的に割り当てた通信リソースまでの間では、予め定義された送信信号系列数を送信信号の系列数とすることを特徴としている。
【０１１１】
このように、移動局装置が前記通信リソースで送信信号系列数情報を送信しなかった場合、前記通信リソースの次に送信信号系列数情報を送信するために周期的に割り当てた通信リソースまでの間では、予め定義された送信信号系列数を送信信号の系列数とするので、移動局装置において、送信信号系列数情報の送信タイミングとなるサブフレームが、例えば、ＤＲＸの非活動期間中になり、送信信号系列情報のフィードバックができない場合でも、ＤＲＸの非活動期間終了後からその次の送信信号系列数情報についての移動局装置からのフィードバックがあるまで、送信信号系列数情報を予め決められた固定値に対応した受信品質情報および送信前処理情報を用いることができる。これにより、基地局装置で適切な下りリンクの通信リソース割り当てを行なうことができる。
【０１１２】
（Ｆ）また、本実施形態に係る基地局装置は、複数のアンテナを備え、前記複数のアンテナの一部または全部を用いて移動局装置と無線通信を行なう基地局装置であって、前記移動局装置が送信信号系列数情報を送信するために、前記移動局装置に対して通信リソースを周期的に割り当てるスケジューラ部と、少なくとも前記移動局装置から送信された送信信号系列数情報に基づいて、送信信号の系列数を決定する送信信号系列数情報制御部と、を備え、前記送信信号系列数情報制御部は、前記移動局装置が前記通信リソースで送信信号系列数情報を送信しなかった場合、前記通信リソースの次に送信信号系列数情報を送信するために周期的に割り当てた通信リソースまでの間では、前記移動局装置から送信されたフィードバック情報を破棄することを特徴としている。
【０１１３】
このように、移動局装置が前記通信リソースで送信信号系列数情報を送信しなかった場合、前記通信リソースの次に送信信号系列数情報を送信するために周期的に割り当てた通信リソースまでの間では、前記移動局装置から送信されたフィードバック情報を破棄するので、移動局装置において、送信信号系列数情報の送信タイミングとなるサブフレームがＤＲＸの非活動期間中になり、送信信号系列情報のフィードバックができない場合、ＤＲＸの非活動期間終了後から、次の送信系列数情報のフィードバックを行なうまでの間、移動局装置が受信品質情報および送信前処理情報のフィードバックを行なっても、基地局装置がそれを無効として予め決められた形式にて下りリンク通信リソースの割り当てを行なうことができる。これにより、可能な限り正常な下りリンク通信を行なうことができる。
【０１１４】
（Ｇ）また、本実施形態に係る通信方法は、移動局装置が、受信品質を表す受信品質情報、送信信号を前処理するために用いられる送信信号前処理情報および多重される送信信号の系列を表す送信信号系列数情報を含むフィードバック情報を、周期的に基地局装置に対して送信し、基地局装置が、前記フィードバック情報を周期的に前記移動局装置から受信し、受信したフィードバック情報に基づいて、前記移動局装置に通信リソースを割り当てる通信方法であって、前記移動局装置は、前記基地局装置から送信信号系列数情報を送信するために周期的に割り当てられた通信リソースで送信信号系列数情報を送信しなかった場合、前記通信リソースの次に割り当てられ前記フィードバック情報を送信可能な通信リソースで送信信号系列数情報を前記基地局装置へ送信し、前記基地局装置は、前記移動局装置が送信信号系列数情報を送信するために周期的に割り当てた通信リソースで送信信号系列数情報を送信しなかった場合、前記通信リソースの次に割り当てた前記フィードバック情報を送信可能な通信リソースで送信された送信信号系列数情報を前記移動局装置から受信して、送信信号の系列数を決定することを特徴としている。
【０１１５】
このように、基地局装置から送信信号系列数情報を送信するために周期的に割り当てられた通信リソースで送信信号系列数情報を送信しなかった場合、前記通信リソースの次に前記基地局装置から割り当てられたフィードバック情報を送信可能な通信リソースで、送信信号系列数情報を前記基地局装置に対して送信するので、例えば、送信信号系列数情報の送信タイミングとなるサブフレームがＤＲＸの非活動期間中になり、移動局装置から基地局装置に対して送信信号系列情報のフィードバック送信ができなかった場合でも、ＤＲＸの非活動期間が終了した次の上り制御チャネルリソース割り当てがあるサブフレームにてフィードバックすることができる。これにより、ＤＲＸの非活動期間終了後に基地局装置が正しい送信系列数情報を知ることができ、その後に送信される受信品質情報および送信信号前処理情報に基づき基地局装置で適切な下りリンクの通信リソース割り当てを行なうことができる。
【０１１６】
（Ｈ）また、本実施形態に係る通信システムは、上記（Ａ）記載の移動局装置および（Ｄ）記載の基地局装置、（Ｂ）記載の移動局装置および（Ｅ）記載の基地局装置、または（Ｃ）記載の移動局装置および（Ｆ）記載の基地局装置により構成されることを特徴としている。
【０１１７】
この構成により、例えば、移動局装置におけるＤＲＸの非活動期間終了後に基地局装置が正しい送信系列数情報を知ることができ、その後に送信される受信品質情報および送信信号前処理情報に基づき基地局装置で適切な下りリンクの通信リソース割り当てを行なうことができる。
【０１１８】
以上、本発明の各実施形態について図面を参照して詳述してきたが、具体的な構成は上記実施形態に限定されるものではなく、この発明の要旨を逸脱しない範囲の設計等も特許請求の範囲に含まれる。
【符号の説明】
【０１１９】
１  データ制御部
３  変調符号化部
４  送信信号前処理部
５  マッピング部
７  逆高速フーリエ変換（ＩＦＦＴ）部
１１  無線送信部
１２  アンテナ
１５  無線受信部
１７  高速フーリエ変換（ＦＦＴ）部
２１  逆離散フーリエ変換（ＩＤＦＴ）部
２２  復調復号化部
２３  データ抽出部
２５  スケジューラ部
２７  送信情報制御部
３１  変調符号制御部
３３  周波数選択スケジューラ部
３５  送信信号の系列数情報制御部
３６  送信信号前処理情報制御部
４１  データ制御部
４３  変調符号化部
４４  離散フーリエ変換（ＤＦＴ）部
４５  マッピング部
４７  逆高速フーリエ変換（ＩＦＦＴ）部
５１  無線送信部
５３  無線受信部
５５  高速フーリエ変換（ＦＦＴ）部
５７  復調復号化部
６１  データ抽出部
６３  アンテナ
６５  フィードバック情報制御部
６７  受信品質情報生成部
６８  送信信号前処理情報生成部
６９  送信信号の系列数情報生成部
７１  受信品質測定部
【図１】
2010114929.tif 000003
【図２】
2010114929.tif 000004
【図３】
2010114929.tif 000005
【図４】
2010114929.tif 000006
【図５】
2010114929.tif 000007
【図６】
2010114929.tif 000008
【図７】
2010114929.tif 000009
【図８】
2010114929.tif 000010
【図９】
2010114929.tif 000011
【図１０】
2010114929.tif 000012
【図１１】
2010114929.tif 000013
【図１２】
2010114929.tif 000014
【図１３】
2010114929.tif 000015